【手続補正書】
【提出日】平成27年7月23日(2015.7.23)
【手続補正１】
【補正対象書類名】明細書
【補正対象項目名】発明の名称
【補正方法】変更
【補正の内容】
【発明の名称】コンテンツ販売システム、コンテンツサーバ装置、コンピュータプログラム及びコンテンツ販売方法
【手続補正２】
【補正対象書類名】明細書
【補正対象項目名】０００１
【補正方法】変更
【補正の内容】
【０００１】
本発明は、ネットワークを介してゲーム機などの装置へデジタルコンテンツを送信することにより、デジタルコンテンツを販売するコンテンツ販売システム、コンテンツサーバ装置、コンピュータプログラム及びコンテンツ販売方法に関する。
【手続補正３】
【補正対象書類名】明細書
【補正対象項目名】０００６
【補正方法】変更
【補正の内容】
【０００６】
本発明の目的とするところは、店舗におけるコンテンツの販売と、ネットワークを介したコンテンツのダウンロード販売とを共存させることができるコンテンツ販売システム、コンテンツサーバ装置、コンピュータプログラム及びコンテンツ販売方法を提供することにある。
【手続補正４】
【補正対象書類名】明細書
【補正対象項目名】０００７
【補正方法】変更
【補正の内容】
【０００７】
本発明に係るコンテンツ販売システムは、特定のコンテンツに対応付けられ、該コンテンツの取得に必要な識別情報を有する売買媒体と、前記売買媒体に係る販売処理を行う販売処理部、及び、該販売処理部による販売処理に応じて前記売買媒体が有する前記識別情報を通知する通知処理部を有する販売端末装置と、前記販売端末装置からの通知に応じて前記識別情報に対応付けて前記売買媒体の販売状態を記憶する販売状態記憶処理部、前記コンテンツを記憶するコンテンツ記憶部、該コンテンツ記憶部に記憶したコンテンツ及び前記識別情報の対応を記憶する対応記憶部、並びに、該コンテンツ記憶部に記憶したコンテンツを送信する第１のコンテンツ送信部を有するサーバ装置と、前記売買媒体が有する前記識別情報の入力を受け付ける識別情報受付部、該識別情報受付部が受け付けた前記識別情報を前記サーバ装置へ送信する識別情報送信部、及び、前記サーバ装置から送信された前記コンテンツを受信するコンテンツ受信部を有する情報処理端末装置を備え、前記サーバ装置は、前記情報処理端末装置の識別情報送信部が送信した前記識別情報を受信する識別情報受信部を有し、前記第１のコンテンツ送信部は、前記識別情報受信部が受信した前記識別情報に係る売買媒体の販売状態が販売済みである場合に、前記識別情報に対応するコンテンツを前記コンテンツ記憶部から読み出して前記情報処理端末装置へ送信するようにしてあり、前記情報処理端末装置は、コンテンツの購入要求を前記サーバ装置へ送信する購入要求送信部を有し、前記サーバ装置は、前記情報処理端末装置からコンテンツの購入要求を受信する購入要求受信部と、該購入要求受信部が購入要求を受信した場合に、該購入要求の対象のコンテンツに係る課金処理を行う課金処理部と、該課金処理部が課金処理を完了した場合に、前記購入要求の対象のコンテンツを、前記情報処理端末装置へ送信する第２のコンテンツ送信部を有し、前記識別情報受信部が前記情報処理端末装置から前記識別情報を受信した場合、前記課金処理部による課金処理を行わずに、前記第１のコンテンツ送信部によるコンテンツの送信を行うようにしてある。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明に係るコンテンツ販売システムは、前記情報処理端末装置が、前記識別情報の入力又は前記サーバ装置へのコンテンツの購入要求のいずれを行うかの選択を受け付ける選択受付部を有し、前記識別情報受付部は、前記選択受付部にて前記識別情報の入力を行う選択を受け付けた場合に、前記売買媒体が有する前記識別情報の入力を受け付け、前記購入要求送信部は、前記選択受付部にて前記コンテンツの購入要求を行う選択を受け付けた場合に、該コンテンツの購入要求を送信する。
【手続補正７】
【補正対象書類名】明細書
【補正対象項目名】００１０
【補正方法】変更
【補正の内容】
【００１０】
本発明に係るコンテンツ販売システムは、前記情報処理端末装置が表示部を有し、前記選択受付部による選択の受け付けを行うための選択受付画面、前記識別情報受付部による前記識別情報の受け付けを行うための識別情報入力画面、コンテンツの送信開始指示を受け付ける送信開始指示画面、又は、前記課金処理部による課金処理を行うための課金処理画面を、前記情報処理端末装置の表示部に表示する処理を行う表示処理部を、前記サーバ装置又は前記情報処理端末装置が有し、前記表示処理部は、前記識別情報受付部にて前記識別情報を受け付けた場合には、前記課金処理画面の表示を行わない。
【手続補正８】
【補正対象書類名】明細書
【補正対象項目名】００１１
【補正方法】変更
【補正の内容】
【００１１】
本発明に係るコンテンツ販売システムは、前記表示処理部が、前記選択受付部にて前記コンテンツの購入要求を行う選択を受け付けた場合に、前記サーバ装置へ購入要求を与えるコンテンツの選択を受け付ける選択画面を表示し、該選択画面によりコンテンツの選択受付がなされた場合に前記課金処理画面を表示し、該課金処理画面により課金処理が終了した場合に、前記送信開始指示画面を表示し、前記選択受付部にて前記識別情報の入力を行う選択を受け付けた場合に、前記識別情報入力画面を表示し、該識別情報入力画面にて前記識別情報の入力受付がなされ、受け付けた前記識別情報に係る売買媒体の販売状態が販売済みである場合に、前記課金処理画面を表示することなく、前記送信開始指示画面を表示する。
【手続補正９】
【補正対象書類名】明細書
【補正対象項目名】００１３
【補正方法】変更
【補正の内容】
【００１３】
本発明に係るコンテンツ販売システムは、前記サーバ装置が、複数の装置で構成され、該複数の装置には、前記販売状態記憶処理部を有する販売サーバ装置と、前記コンテンツ記憶部、前記対応記憶部、前記第１のコンテンツ送信部、前記識別情報受信部、前記購入要求受信部、前記課金処理部及び前記第２のコンテンツ送信部を有するコンテンツサーバ装置を含み、前記販売サーバ装置は、他の装置からの問い合わせに応じて、前記販売状態記憶処理部が記憶した前記売買媒体の販売状態を回答する販売状態回答部を有し、前記コンテンツサーバ装置は、前記識別情報受信部が受信した前記識別情報を基に、該識別情報に係る売買媒体の販売状態を前記販売サーバ装置に問い合わせる販売状態照会部を有し、前記第１のコンテンツ送信部は、前記販売状態照会部の問い合わせに応じて前記販売サーバ装置から回答される販売状態が販売済みである場合に、コンテンツの送信を行うようにしてある。
【手続補正１０】
【補正対象書類名】明細書
【補正対象項目名】００１４
【補正方法】変更
【補正の内容】
【００１４】
本発明に係るコンテンツ販売システムは、前記売買媒体が、第１識別情報及び第２識別情報の２つの前記識別情報を有し、前記販売端末装置は、前記通知処理部にて前記売買媒体の前記第１識別情報を通知するようにしてあり、前記販売サーバ装置は、前記販売状態記憶処理部にて前記第１識別情報に対応付けて前記売買媒体の販売状態を記憶するようにしてあり、前記情報処理端末装置は、前記識別情報受付部にて前記売買媒体の前記第２識別情報を受け付けるようにしてあり、前記コンテンツサーバ装置は、前記対応記憶部に、前記コンテンツ、前記第１識別情報及び前記第２識別情報を対応付けて記憶し、前記識別情報受信部が受信した前記第２識別情報に対応する前記第１識別情報を前記対応記憶部から取得し、取得した前記第１識別情報を基に、前記販売状態照会部にて前記第１識別情報に係る売買媒体の販売状態を問い合わせるようにしてある。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
本発明に係るコンテンツサーバ装置は、特定のコンテンツに対応付けられ、該コンテンツの取得に必要な識別情報を有する売買媒体について、前記識別情報に対応付けて前記売買媒体の販売状態を記憶する販売状態記憶処理部、並びに、他の装置からの問い合わせに応じて、前記販売状態記憶処理部が記憶した前記売買媒体の販売状態を回答する販売状態回答部を有する販売サーバ装置との通信を行う通信部と、コンテンツを記憶するコンテンツ記憶部と、該コンテンツ記憶部に記憶したコンテンツ及び該コンテンツの取得に必要な前記識別情報の対応を記憶する対応記憶部と、他の装置が送信した前記識別情報を受信する識別情報受信部と、該識別情報受信部が受信した前記識別情報を基に、該識別情報に係る売買媒体の販売状態を前記通信部の通信にて前記販売サーバ装置に問い合わせる販売状態照会部と、前記販売状態照会部の問い合わせに応じて前記販売サーバ装置から通知される販売状態が販売済みである場合に、前記識別情報受信部が受信した前記識別情報に対応するコンテンツを前記コンテンツ記憶部から読み出して前記他の装置へ送信する第１のコンテンツ送信部と、他の装置からコンテンツの購入要求を受信する購入要求受信部と、該購入要求受信部が購入要求を受信した場合に、該購入要求の対象のコンテンツに係る課金処理を行う課金処理部と、該課金処理部が課金処理を完了した場合に、前記購入要求の対象のコンテンツを、前記他の装置へ送信する第２のコンテンツ送信部を備え、前記識別情報受信部が前記他の装置から前記識別情報を受信した場合、前記課金処理部による課金処理を行わずに、前記第１のコンテンツ送信部によるコンテンツの送信を行うようにしてある。
【手続補正１３】
【補正対象書類名】明細書
【補正対象項目名】００２３
【補正方法】変更
【補正の内容】
【００２３】
本発明に係るコンピュータプログラムは、特定のコンテンツに対応付けられ、該コンテンツの取得に必要な識別情報を有する売買媒体について、前記識別情報に対応付けて前記売買媒体の販売状態を記憶する販売状態記憶処理部、並びに、他の装置からの問い合わせに応じて、前記販売状態記憶処理部が記憶した前記売買媒体の販売状態を回答する販売状態回答部を有する販売サーバ装置との通信を行う通信部と、前記コンテンツを記憶するコンテンツ記憶部とを備えるコンピュータを、該コンテンツ記憶部に記憶したコンテンツ及び該コンテンツの取得に必要な前記識別情報の対応を記憶させる対応記憶手段と、他の装置が送信した前記識別情報を受信させる識別情報受信手段と、受信した前記識別情報を基に、該識別情報に係る売買媒体の販売状態を前記通信部にて前記販売サーバ装置に問い合わせさせる販売状態照会手段と、前記問い合わせに応じて前記販売サーバ装置から通知される販売状態が販売済みである場合に、前記識別情報受信手段が受信した前記識別情報に対応するコンテンツを前記コンテンツ記憶部から読み出して前記他の装置へ送信させる第１のコンテンツ送信手段と、他の装置からコンテンツの購入要求を受信させる購入要求受信手段と、該購入要求受信手段にて購入要求を受信した場合に、該購入要求の対象のコンテンツに係る課金処理を行わせる課金処理手段と、該課金処理手段による課金処理を完了した場合に、前記購入要求の対象のコンテンツを、前記他の装置へ送信させる第２のコンテンツ送信手段として動作させ、前記識別情報受信手段にて前記他の装置から前記識別情報を受信した場合、前記課金処理手段による課金処理を行わずに、前記第１のコンテンツ送信手段によるコンテンツの送信を行わせる。
【手続補正１４】
【補正対象書類名】明細書
【補正対象項目名】００２４
【補正方法】変更
【補正の内容】
【００２４】
本発明に係るコンテンツ販売方法は、特定のコンテンツに対応付けられ、該コンテンツの取得に必要な識別情報を有する売買媒体に係る販売処理を行う販売処理部を有する販売端末装置が、前記販売処理に応じて前記売買媒体が有する前記識別情報を、前記コンテンツを記憶するコンテンツ記憶部、並びに、該コンテンツ記憶部に記憶したコンテンツ及び前記識別情報の対応を記憶する対応記憶部を有するサーバ装置へ通知する通知処理ステップと、前記通知処理ステップの通知に応じて、前記サーバ装置が、前記識別情報に対応付けて前記売買媒体の販売状態を記憶する販売状態記憶ステップと、前記売買媒体が有する前記識別情報の入力を情報処理端末装置が受け付ける識別情報受付ステップと、受け付けた前記識別情報を前記情報処理端末装置が前記サーバ装置へ送信する識別情報送信ステップと、前記識別情報送信ステップにて送信された前記識別情報を前記サーバ装置が受信する識別情報受信ステップと、前記識別情報受信ステップにて受信した前記識別情報に係る売買媒体の販売状態が販売済みである場合に、前記識別情報受信ステップにて受信した前記識別情報に対応するコンテンツを、前記サーバ装置が前記コンテンツ記憶部から読み出して前記情報処理端末装置へ送信する第１のコンテンツ送信ステップと、コンテンツの購入要求を前記情報処理端末装置が前記サーバ装置へ送信する購入要求送信ステップと、前記購入要求送信ステップにて送信された購入要求を前記サーバ装置が受信する購入要求受信ステップと、前記購入要求受信ステップにて購入要求を受信した場合に、該購入要求の対象のコンテンツに係る課金処理を前記サーバ装置が行う課金処理ステップと、前記課金処理ステップにて課金処理を完了した場合に、前記購入要求の対象のコンテンツを、前記サーバ装置が前記コンテンツ記憶部から読み出して前記情報処理端末装置へ送信する第２のコンテンツ送信ステップとを含み、前記識別情報受信ステップにて前記識別情報を受信した場合、前記課金処理ステップの課金処理を行わずに、前記第１のコンテンツ送信ステップによるコンテンツの送信を行う。
【手続補正１５】
【補正対象書類名】特許請求の範囲
【補正対象項目名】全文
【補正方法】変更
【補正の内容】
【特許請求の範囲】
【請求項１】
特定のコンテンツに対応付けられ、該コンテンツの取得に必要な識別情報を有する売買媒体と、
前記売買媒体に係る販売処理を行う販売処理部、及び、該販売処理部による販売処理に応じて前記売買媒体が有する前記識別情報を通知する通知処理部を有する販売端末装置と、
前記販売端末装置からの通知に応じて前記識別情報に対応付けて前記売買媒体の販売状態を記憶する販売状態記憶処理部、前記コンテンツを記憶するコンテンツ記憶部、該コンテンツ記憶部に記憶したコンテンツ及び前記識別情報の対応を記憶する対応記憶部、並びに、該コンテンツ記憶部に記憶したコンテンツを送信する第１のコンテンツ送信部を有するサーバ装置と、
前記売買媒体が有する前記識別情報の入力を受け付ける識別情報受付部、該識別情報受付部が受け付けた前記識別情報を前記サーバ装置へ送信する識別情報送信部、及び、前記サーバ装置から送信された前記コンテンツを受信するコンテンツ受信部を有する情報処理端末装置
を備え、
前記サーバ装置は、前記情報処理端末装置の識別情報送信部が送信した前記識別情報を受信する識別情報受信部を有し、
前記第１のコンテンツ送信部は、前記識別情報受信部が受信した前記識別情報に係る売買媒体の販売状態が販売済みである場合に、前記識別情報に対応するコンテンツを前記コンテンツ記憶部から読み出して前記情報処理端末装置へ送信するようにしてあり、
前記情報処理端末装置は、コンテンツの購入要求を前記サーバ装置へ送信する購入要求送信部を有し、
前記サーバ装置は、
前記情報処理端末装置からコンテンツの購入要求を受信する購入要求受信部と、
該購入要求受信部が購入要求を受信した場合に、該購入要求の対象のコンテンツに係る課金処理を行う課金処理部と、
該課金処理部が課金処理を完了した場合に、前記購入要求の対象のコンテンツを、前記情報処理端末装置へ送信する第２のコンテンツ送信部
を有し、
前記識別情報受信部が前記情報処理端末装置から前記識別情報を受信した場合、前記課金処理部による課金処理を行わずに、前記第１のコンテンツ送信部によるコンテンツの送信を行うようにしてある、
コンテンツ販売システム。
【請求項２】
前記情報処理端末装置は、前記識別情報の入力又は前記サーバ装置へのコンテンツの購入要求のいずれを行うかの選択を受け付ける選択受付部を有し、
前記識別情報受付部は、前記選択受付部にて前記識別情報の入力を行う選択を受け付けた場合に、前記売買媒体が有する前記識別情報の入力を受け付け、
前記購入要求送信部は、前記選択受付部にて前記コンテンツの購入要求を行う選択を受け付けた場合に、該コンテンツの購入要求を送信する、
請求項１に記載のコンテンツ販売システム。
【請求項３】
前記情報処理端末装置は表示部を有し、
前記選択受付部による選択の受け付けを行うための選択受付画面、前記識別情報受付部による前記識別情報の受け付けを行うための識別情報入力画面、コンテンツの送信開始指示を受け付ける送信開始指示画面、又は、前記課金処理部による課金処理を行うための課金処理画面を、前記情報処理端末装置の表示部に表示する処理を行う表示処理部を、前記サーバ装置又は前記情報処理端末装置が有し、
前記表示処理部は、前記識別情報受付部にて前記識別情報を受け付けた場合には、前記課金処理画面の表示を行わない、
請求項２に記載のコンテンツ販売システム。
【請求項４】
前記表示処理部は、
前記選択受付部にて前記コンテンツの購入要求を行う選択を受け付けた場合に、前記サーバ装置へ購入要求を与えるコンテンツの選択を受け付ける選択画面を表示し、
該選択画面によりコンテンツの選択受付がなされた場合に前記課金処理画面を表示し、
該課金処理画面により課金処理が終了した場合に、前記送信開始指示画面を表示し、
前記選択受付部にて前記識別情報の入力を行う選択を受け付けた場合に、前記識別情報入力画面を表示し、
該識別情報入力画面にて前記識別情報の入力受付がなされ、受け付けた前記識別情報に係る売買媒体の販売状態が販売済みである場合に、前記課金処理画面を表示することなく、前記送信開始指示画面を表示する、
請求項３に記載のコンテンツ販売システム。
【請求項５】
前記第１のコンテンツ送信部又は前記第２のコンテンツ送信部は、前記送信開始指示画面にて送信開始指示の受付がなされた場合に、コンテンツを前記コンテンツ記憶部から読み出して前記情報処理端末装置へ送信するようにしてある、
請求項３又は請求項４に記載のコンテンツ販売システム。
【請求項６】
前記サーバ装置は、複数の装置で構成され、
該複数の装置には、
前記販売状態記憶処理部を有する販売サーバ装置と、
前記コンテンツ記憶部、前記対応記憶部、前記第１のコンテンツ送信部、前記識別情報受信部、前記購入要求受信部、前記課金処理部及び前記第２のコンテンツ送信部を有するコンテンツサーバ装置
を含み、
前記販売サーバ装置は、他の装置からの問い合わせに応じて、前記販売状態記憶処理部が記憶した前記売買媒体の販売状態を回答する販売状態回答部を有し、
前記コンテンツサーバ装置は、前記識別情報受信部が受信した前記識別情報を基に、該識別情報に係る売買媒体の販売状態を前記販売サーバ装置に問い合わせる販売状態照会部を有し、
前記第１のコンテンツ送信部は、前記販売状態照会部の問い合わせに応じて前記販売サーバ装置から回答される販売状態が販売済みである場合に、コンテンツの送信を行うようにしてある、
請求項１乃至請求項５のいずれか１つに記載のコンテンツ販売システム。
【請求項７】
前記売買媒体は、第１識別情報及び第２識別情報の２つの前記識別情報を有し、
前記販売端末装置は、前記通知処理部にて前記売買媒体の前記第１識別情報を通知するようにしてあり、
前記販売サーバ装置は、前記販売状態記憶処理部にて前記第１識別情報に対応付けて前記売買媒体の販売状態を記憶するようにしてあり、
前記情報処理端末装置は、前記識別情報受付部にて前記売買媒体の前記第２識別情報を受け付けるようにしてあり、
前記コンテンツサーバ装置は、
前記対応記憶部に、前記コンテンツ、前記第１識別情報及び前記第２識別情報を対応付けて記憶し、
前記識別情報受信部が受信した前記第２識別情報に対応する前記第１識別情報を前記対応記憶部から取得し、
取得した前記第１識別情報を基に、前記販売状態照会部にて前記第１識別情報に係る売買媒体の販売状態を問い合わせるようにしてある、
請求項６に記載のコンテンツ販売システム。
【請求項８】
前記サーバ装置は、前記コンテンツ記憶部に記憶したコンテンツに対応付けて送信許可条件を記憶する送信許可条件記憶部を有し、
前記第１のコンテンツ送信部は、前記送信許可条件記憶部に記憶された送信許可条件を満たす場合に前記コンテンツを送信するようにしてある、
請求項１乃至請求項７のいずれか１つに記載のコンテンツ販売システム。
【請求項９】
前記送信許可条件は、コンテンツの送信を許可する年月日に係る条件であり、
前記第１のコンテンツ送信部は、許可された年月日に至った場合に前記コンテンツを送信するようにしてある、
請求項８に記載のコンテンツ販売システム。
【請求項１０】
前記識別情報は、コンテンツ毎に複数発行される、
請求項１乃至請求項９のいずれか１つに記載のコンテンツ販売システム。
【請求項１１】
前記識別情報は、コンテンツ毎に発行数が決定された情報である、
請求項１０に記載のコンテンツ販売システム。
【請求項１２】
前記コンテンツが記録された記録媒体を更に備え、
前記情報処理端末装置は、
前記記録媒体を装着する記録媒体装着部と、
前記コンテンツ受信部が受信したコンテンツ、又は、前記記録媒体装着部に装着された記録媒体に記録されたコンテンツに係る情報処理を行う情報処理部
を有し、
前記記録媒体及び前記売買媒体が併売されるものである、
請求項１乃至請求項１１のいずれか１つに記載のコンテンツ販売システム。
【請求項１３】
前記コンテンツは、ゲームのアプリケーションである、
請求項１乃至請求項１２のいずれか１つに記載のコンテンツ販売システム。
【請求項１４】
特定のコンテンツに対応付けられ、該コンテンツの取得に必要な識別情報を有する売買媒体について、前記識別情報に対応付けて前記売買媒体の販売状態を記憶する販売状態記憶処理部、並びに、他の装置からの問い合わせに応じて、前記販売状態記憶処理部が記憶した前記売買媒体の販売状態を回答する販売状態回答部を有する販売サーバ装置との通信を行う通信部と、
コンテンツを記憶するコンテンツ記憶部と、
該コンテンツ記憶部に記憶したコンテンツ及び該コンテンツの取得に必要な前記識別情報の対応を記憶する対応記憶部と、
他の装置が送信した前記識別情報を受信する識別情報受信部と、
該識別情報受信部が受信した前記識別情報を基に、該識別情報に係る売買媒体の販売状態を前記通信部の通信にて前記販売サーバ装置に問い合わせる販売状態照会部と、
前記販売状態照会部の問い合わせに応じて前記販売サーバ装置から通知される販売状態が販売済みである場合に、前記識別情報受信部が受信した前記識別情報に対応するコンテンツを前記コンテンツ記憶部から読み出して前記他の装置へ送信する第１のコンテンツ送信部と、
他の装置からコンテンツの購入要求を受信する購入要求受信部と、
該購入要求受信部が購入要求を受信した場合に、該購入要求の対象のコンテンツに係る課金処理を行う課金処理部と、
該課金処理部が課金処理を完了した場合に、前記購入要求の対象のコンテンツを、前記他の装置へ送信する第２のコンテンツ送信部
を備え、
前記識別情報受信部が前記他の装置から前記識別情報を受信した場合、前記課金処理部による課金処理を行わずに、前記第１のコンテンツ送信部によるコンテンツの送信を行うようにしてある、
コンテンツサーバ装置。
【請求項１５】
特定のコンテンツに対応付けられ、該コンテンツの取得に必要な識別情報を有する売買媒体について、前記識別情報に対応付けて前記売買媒体の販売状態を記憶する販売状態記憶処理部、並びに、他の装置からの問い合わせに応じて、前記販売状態記憶処理部が記憶した前記売買媒体の販売状態を回答する販売状態回答部を有する販売サーバ装置との通信を行う通信部と、前記コンテンツを記憶するコンテンツ記憶部とを備えるコンピュータを、
該コンテンツ記憶部に記憶したコンテンツ及び該コンテンツの取得に必要な前記識別情報の対応を記憶させる対応記憶手段と、
他の装置が送信した前記識別情報を受信させる識別情報受信手段と、
受信した前記識別情報を基に、該識別情報に係る売買媒体の販売状態を前記通信部にて前記販売サーバ装置に問い合わせさせる販売状態照会手段と、
前記問い合わせに応じて前記販売サーバ装置から通知される販売状態が販売済みである場合に、前記識別情報受信手段が受信した前記識別情報に対応するコンテンツを前記コンテンツ記憶部から読み出して前記他の装置へ送信させる第１のコンテンツ送信手段と、
他の装置からコンテンツの購入要求を受信させる購入要求受信手段と、
該購入要求受信手段にて購入要求を受信した場合に、該購入要求の対象のコンテンツに係る課金処理を行わせる課金処理手段と、
該課金処理手段による課金処理を完了した場合に、前記購入要求の対象のコンテンツを、前記他の装置へ送信させる第２のコンテンツ送信手段
として動作させ、
前記識別情報受信手段にて前記他の装置から前記識別情報を受信した場合、前記課金処理手段による課金処理を行わずに、前記第１のコンテンツ送信手段によるコンテンツの送信を行わせる、
コンピュータプログラム。
【請求項１６】
特定のコンテンツに対応付けられ、該コンテンツの取得に必要な識別情報を有する売買媒体に係る販売処理を行う販売処理部を有する販売端末装置が、前記販売処理に応じて前記売買媒体が有する前記識別情報を、前記コンテンツを記憶するコンテンツ記憶部、並びに、該コンテンツ記憶部に記憶したコンテンツ及び前記識別情報の対応を記憶する対応記憶部を有するサーバ装置へ通知する通知処理ステップと、
前記通知処理ステップの通知に応じて、前記サーバ装置が、前記識別情報に対応付けて前記売買媒体の販売状態を記憶する販売状態記憶ステップと、
前記売買媒体が有する前記識別情報の入力を情報処理端末装置が受け付ける識別情報受付ステップと、
受け付けた前記識別情報を前記情報処理端末装置が前記サーバ装置へ送信する識別情報送信ステップと、
前記識別情報送信ステップにて送信された前記識別情報を前記サーバ装置が受信する識別情報受信ステップと、
前記識別情報受信ステップにて受信した前記識別情報に係る売買媒体の販売状態が販売済みである場合に、前記識別情報受信ステップにて受信した前記識別情報に対応するコンテンツを、前記サーバ装置が前記コンテンツ記憶部から読み出して前記情報処理端末装置へ送信する第１のコンテンツ送信ステップと、
コンテンツの購入要求を前記情報処理端末装置が前記サーバ装置へ送信する購入要求送信ステップと、
前記購入要求送信ステップにて送信された購入要求を前記サーバ装置が受信する購入要求受信ステップと、
前記購入要求受信ステップにて購入要求を受信した場合に、該購入要求の対象のコンテンツに係る課金処理を前記サーバ装置が行う課金処理ステップと、
前記課金処理ステップにて課金処理を完了した場合に、前記購入要求の対象のコンテンツを、前記サーバ装置が前記コンテンツ記憶部から読み出して前記情報処理端末装置へ送信する第２のコンテンツ送信ステップと
を含み、
前記識別情報受信ステップにて前記識別情報を受信した場合、前記課金処理ステップの課金処理を行わずに、前記第１のコンテンツ送信ステップによるコンテンツの送信を行う、
コンテンツ販売方法。